(57)【要約】【課題】他側にヒンジ部を一側に係止部を夫々備えて操作部を開閉する開閉蓋のツマミを不要にして、エアフィルタの把手部の一部を押圧することにより前記係止部を解くようにした一体型空気調和機を提供する。【解決手段】操作部７の一側縁７ａを構成する前面に前面挿通孔１５を、側面に側面挿通孔１５’　を夫々設ける一方、手掛部の下端部に切欠きによる可撓性を有する押圧部１６を形成し、前記操作部７の裏面に、一端が前記前面挿通孔１５を挿通して前記開閉蓋７の一側裏面に対峙し、他端が前記側面挿通孔１５’　を挿通して前記押圧部１６の裏面に対峙し、中央が支軸部１４により回動自在に軸支された略Ｌ字状のリンク１７を設けてなり、前記押圧部１６を押圧することにより前記リンク１７の他端を押圧し、同リンク１７の一端を回動して前記開閉蓋７の裏面を押圧し、同開閉蓋７の係止部を解くようにした。【選択図】　図２
2004053194.tif 000002
【特許請求の範囲】
【請求項１】
本体の室内側前面に装着され、一側に吸込口を備え、他側上部に吹出口を備え、他側下部に操作部を備え、前記吸込口に一側を枢支部により枢支し、他側を係脱可能に係止する吸込グリルを備え、前記操作部にヒンジ部により他側を枢支し、係止部により一側を係脱可能に係止する開閉蓋を備えた前面パネルと、前記吸込グリルの裏面に、同吸込グリルの前記吹出口および前記操作部側に設けられた挿脱口から挿脱可能に装着され、網部と、枠部と、同枠部の一側に連続形成され、前記挿脱口に側面が当接して前記吸込グリルの表面に露出する上下に延びる手掛部とからなるエアフィルタとで構成され、
前記操作部の一側縁の前面に前面挿通孔を、側面に側面挿通孔を夫々設ける一方、前記手掛部の下端部に切欠きによる可撓性を有する押圧部を形成し、前記操作部の裏面に、一端が前記前面挿通孔を挿通して前記開閉蓋の一側裏面に対峙し、他端が前記側面挿通孔を挿通して前記押圧部の裏面に対峙し、中央が支軸部により回動自在に軸支された略Ｌ字状のリンクを設けてなり、
前記押圧部を押圧することにより前記リンクの他端を押圧し、同リンクの一端を回動して前記開閉蓋の裏面を押圧し、同開閉蓋の係止部を解くようにしてなることを特徴とする一体型空気調和機。
【請求項２】
前記切欠きが、前記エアフィルタの枠部まで延びるように形成されてなることを特徴とする請求項１に記載の一体型空気調和機。
【請求項３】
前記手掛部の下端位置の裏面に、前記リンクの他端に対峙する突出部を一体成形してなることを特徴とする請求項１に記載の一体型空気調和機。
【請求項４】
前記突出部が、半球面状に形成されてなることを特徴とする請求項３に記載の一体型空気調和機。
【発明の詳細な説明】
【０００１】
【発明の属する技術分野】
本発明は、一体型空気調和機に係わり、より詳細には、他側にヒンジ部を一側に係止部を夫々備えて操作部を開閉する開閉蓋のツマミを不要にして、エアフィルタの把手部の一部を押圧することにより前記係止部を解くようにした構造に関する。
【０００２】
【従来の技術】
従来の一体型空気調和機は、例えば図３（Ａ）および図３（Ｂ）で示すように、本体１の室内側前面に装着され、一側に吸込口３を備え、他側上部に吹出口４を備え、他側下部に操作部７を備え、前記吸込口３に吸込グリル２を備え、前記操作部７にヒンジ部５により他側を枢支し、係止部６ａおよび７ｂにより一側縁７ａを係脱可能に係止する開閉蓋６を備えた前面パネル８と、前記吸込グリル２の裏面に、同吸込グリル２の前記吹出口４および前記操作部７側に設けられた挿脱口９から挿脱可能に装着され、網部と、枠部と、同枠部の一側に連続形成され、前記挿脱口９に側面が当接して前記吸込グリル２の表面に露出する上下に延びる手掛部１２とからなるエアフィルタ１３とで構成されていた。
【０００３】
そして、前記操作部７に配置された運転操作用のツマミ類を操作する際、前記開閉蓋６の一側表面に立設したツマミ６ｂを手指で摘んで引き、前記操作部７の一側縁７ａに隣接して設けられた係止部７ｂから、前記開閉蓋６の一側裏面に設けられた係止爪６ａの係止を解いて、同開閉蓋６を前記ヒンジ部５を中心に回転させることにより前記操作部７の前部を開放していた。
【０００４】
しかしながら、前記開閉蓋６の一側表面に前記ツマミ６ｂを立設する必要があるため意匠性が悪くなってしまったり、また、前記ツマミ６ｂを大きく形成できないため手指で摘みにくくなって操作性が悪い上、また、例えば前記操作部７の一側縁７ａの表面と、前記吸込グリル２の表面とが面一状態に近いような場合には、前記エアフィルタ１３を挿脱しにくいという問題点を有していた。
【０００５】
または、前記係止爪６ａおよび前記係止部７ｂに替えて、所謂プッシュラッチを使用した場合には、操作上の高級感を期待できると共に、前記ツマミ６ｂが不要になって意匠性を損ねない構成となるという効果を奏する反面、前記プッシュラッチを採用することでコスト的に不利になってしまうという問題点を有していた。
【０００６】
【発明が解決しようとする課題】
本発明は、上記問題点に鑑み、他側にヒンジ部を一側に係止部を夫々備えて操作部を開閉する開閉蓋のツマミを不要にして、エアフィルタの把手部の一部を押圧することにより前記係止部を解くようにした一体型空気調和機を提供することを目的とする。
【０００７】
【課題を解決するための手段】
本発明は、上記課題を解決するため、本体の室内側前面に装着され、一側に吸込口を備え、他側上部に吹出口を備え、他側下部に操作部を備え、前記吸込口に一側を枢支部により枢支し、他側を係脱可能に係止する吸込グリルを備え、前記操作部にヒンジ部により他側を枢支し、係止部により一側を係脱可能に係止する開閉蓋を備えた前面パネルと、前記吸込グリルの裏面に、同吸込グリルの前記吹出口および前記操作部側に設けられた挿脱口から挿脱可能に装着され、網部と、枠部と、同枠部の一側に連続形成され、前記挿脱口に側面が当接して前記吸込グリルの表面に露出する上下に延びる手掛部とからなるエアフィルタとで構成され、
前記操作部の一側縁の前面に前面挿通孔を、側面に側面挿通孔を夫々設ける一方、前記手掛部の下端部に切欠きによる可撓性を有する押圧部を形成し、前記操作部の裏面に、一端が前記前面挿通孔を挿通して前記開閉蓋の一側裏面に対峙し、他端が前記側面挿通孔を挿通して前記押圧部の裏面に対峙し、中央が支軸部により回動自在に軸支された略Ｌ字状のリンクを設けてなり、
前記押圧部を押圧することにより前記リンクの他端を押圧し、同リンクの一端を回動して前記開閉蓋の裏面を押圧し、同開閉蓋の係止部を解くようにした構成となっている。
【０００８】
また、前記切欠きが、前記エアフィルタの枠部まで延びるように形成されてなる構成となっている。
【０００９】
また、前記手掛部の下端位置の裏面に、前記リンクの他端に対峙する突出部を一体成形してなる構成となっている。
【００１０】
更に、前記突出部が、半球面状に形成されてなる構成となっている。
【００１１】
【発明の実施の形態】
以下、本発明の実施の形態を図面に基づいた実施例として詳細に説明する。
図１は本発明による一体型空気調和機の説明図で、（Ａ）は本体の正面図、（Ｂ）は要部斜視図、（Ｃ）および（Ｄ）は要部側面図であり、図２は本発明による一体型空気調和機の要部説明図で、（Ａ）は押ボタンを押していない状態を、（Ｂ）は押ボタンを押した状態を夫々示す。
【００１２】
図で示すように、本発明による一体型空気調和機は、本体１の室内側前面に、一側に、枢支部２ａにより開閉可能に枢支された吸込グリル２を有する吸込口３を備え、他側上部に吹出口４を備え、他側下部に、一側に設けられた係止爪６ａによる係止状態を係止部７ｂから解くことにより、他側に設けられたヒンジ部５を中心に開閉する開閉蓋６を有する凹陥状の操作部７を備えた前面パネル８を装着した構成になっている。
【００１３】
そして、前記操作部７に配置された運転操作用のツマミ類は、前記開閉蓋６を前記ヒンジ部５を中心に回転することにより、前記操作部７の前部を開放して操作できるようになっている。
【００１４】
前記吸込グリル２の裏面には、同吸込グリル２の前記吹出口４および前記操作部７側に設けられた挿脱口９から、網部１０と、枠部１１と、同枠部１１の一側に連続形成され、前記挿脱口９に側面が当接して、前記吸込グリル２の表面に露出する上下に延びる手掛部１２とからなるエアフィルタ１３を挿脱可能に装着した構成になっている。
【００１５】
上記構成により、前記吸込口３から吸い込まれた吸込空気が、前記エアフィルタ１３によって清浄化されたのち、本体１内部に設けられた熱交換器（図示せず）で熱交換され、前記吹出口４から被空気調和室に向けて吹き出されるようになっている。
【００１６】
次に、前記操作部７の前部を開閉する前記開閉蓋６の開閉構造について説明する。
【００１７】
凹陥状に形成された前記操作部７は、図１（Ａ）と、図２（Ａ）および図２（Ｂ）とで示すように、前記ヒンジ部５によって他側が枢支され、雄雌の係止部６ａおよび７ｂによって一側が係脱可能に係止される前記開閉蓋６によって開閉されるようになっている。
【００１８】
前記操作部７の一側縁７ａは、同操作部７の表面から少許前方に膨出して前記開閉蓋６の一側部を受ける前面と、同前面の両側縁から後方に延びる平行な両側面とで、前記操作部７の一側に連続して断面コ字状に形成されている。
【００１９】
前記操作部７の一側縁７ａは、前記開閉蓋６の一側部を受ける前面には前面挿通孔１５が設けられ、一側面には側面挿通孔１５’　が設けられている。
【００２０】
前記操作部７の一側縁７ａを構成する前記前面および前記両側面の内側には、中央が回動自在に軸支される略Ｌ字状のリンク１７の支軸部１４が設けられている。
【００２１】
前記リンク１７の一端は、前記前面挿通孔１５を挿通して前記開閉蓋６の一側裏面に対峙し、他側端は、前記側面挿通孔１５’　を挿通して前記手掛部１２の下端部の裏面に対峙した構成になっている。
【００２２】
そして、前記手掛部１２の下端部は、図１（Ｂ）で示す切欠き１８により、押圧することによって図１（Ｃ）で示す状態から図１（Ｄ）で示す状態まで弾性変形するように、押ボタンの機能をもたせた可撓性を有する押圧部１６が一体成形されている。
【００２３】
前記開閉蓋６を回転させて前記操作部７の前部を開放させる際、前記操作部７の一側縁７ａに隣接して設けられた前記係止部７ｂから、前記開閉蓋６の一側裏面に設けられた前記係止爪６ａを解くことによって、同開閉蓋６を前記ヒンジ部５を中心に回転させるようになっている。
【００２４】
以上の構成により、次にその動作について説明する。
前記エアフィルタ１３は、図１（Ａ）で示すように、前記吸込グリル２の前記吹出口４および前記操作部７側に設けられた挿脱口９から挿入され、前記吸込口３に面して着脱可能に装着されている。
【００２５】
その際、前記エアフィルタ１３は、同エアフィルタ１３を構成する手掛部１２の側面が前記挿脱口９に当接して位置決めされた状態になっており、着脱時には、前記枢支部２ａを中心に、図２（Ｂ）の破線で示すように、前記吸込グリル２の他側である前記吹出口４および前記操作部７側を前方に回動することによって、前記挿脱口９から容易に挿脱できる。
【００２６】
そして、前記操作部７に配置された運転操作用のツマミ類を操作する際、図２（Ａ）および図２（Ｂ）で示すように、前記押圧部１６を押すことにより、同押圧部１６の背面に一体成形された半球面状の突出部１６ａ　が前記リンク１７の他端に円滑に、且つ正確に当接しこれを押圧して、前記支軸部１４を中心に前記リンク１７が回動することになる。
【００２７】
前記リンク１７が回動することにより、図１（Ａ）で示す前記係止部７ｂから前記係止爪６ａが解かれて、前記リンク１７の一端が前記開閉蓋６の一側を前方に押し出し、同開閉蓋６が前記ヒンジ部５を中心に回転する。
【００２８】
なお、前記押圧部１６は、図１（Ａ）および図１（Ｂ）で示すように、前記手掛部１６の一部を兼ねているので、個別に専用の押ボタンを設けることなく、コスト的に有利な簡便な構成より「押して開く」構造を実現できることになり、開閉時の高級感や動作の意外性、そして意匠性を向上できるという効果を奏することになる。
【００２９】
【発明の効果】
以上説明したように、本発明によると、他側にヒンジ部を一側に係止部を夫々備えて操作部を開閉する開閉蓋のツマミを不要にして、エアフィルタの把手部の一部を押圧することにより前記係止部を解くようにした一体型空気調和機となる。
【図面の簡単な説明】
【図１】本発明による一体型空気調和機の説明図で、（Ａ）は本体の正面図であり、（Ｂ）は要部斜視図であり、（Ｃ）および（Ｄ）は要部側面図である。
【図２】本発明による一体型空気調和機の要部説明図で、（Ａ）は押ボタンを押していない状態を示し、（Ｂ）は押ボタンを押した状態を示す。
【図３】従来例による一体型空気調和機の説明図で、（Ａ）は本体の正面図であり、（Ｂ）は（Ａ）で示すＢ矢視図である。
【符号の説明】
１　一体型空気調和機本体
２　吸込グリル
２ａ　枢支部
３　吸込口
４　吹出口
５　ヒンジ部
６　開閉蓋
７　操作部
７ａ　一側縁
７ｂ　係止部
８　前面パネル
９　挿脱口
１０　網部
１１　枠部
１２　手掛部
１３　エアフィルタ
１４　支軸部
１５，１５’　挿通孔
１６　押圧部
１６ａ　突出部
１７　リンク
１８　切欠き
【図１】
2004053194.tif 000003
【図２】
2004053194.tif 000004
【図３】
2004053194.tif 000005